(57)【特許請求の範囲】
【請求項１】
情報を第１の画面に表示する表示手段と、
表示される情報の表示サイズを定めた表示モードを切り替える表示モード切替手段と、
前記表示モードの選択入力を受ける表示モード選択入力手段と、
前記表示モード選択入力手段により受けた表示モードの選択入力に基づいて、前記第１の画面に重畳され、情報を表示する第２の画面の表示サイズを切り替える表示サイズ切替手段と、を有し、
前記情報は文字、ピクト、ソフトキーを含み、
前記表示サイズ切り替え手段は、前記文字の表示サイズを同じ横幅で切り替えることを特徴とする携帯通信端末。
【請求項２】
前記表示サイズ切替手段は、前記第２の画面が表示する前記情報の表示サイズを切り替えることを特徴とする請求項１に記載の携帯通信端末。
【請求項３】
前記表示モード選択入力手段は、数字キーの長押しにより前記表示モードの選択入力を受けることを特徴とする請求項１または２に記載の携帯通信端末。
【請求項４】
前記表示モードは、縮小表示モードと、拡大表示モードと、の２つのみであることを特徴とする請求項１から３のいずれか１項に記載の携帯通信端末。
【請求項５】
前記表示サイズ変更手段は、前記表示部に表示される言語が英語の場合にも、前記表示手段に表示されるピクト及びソフトキーを含む全ての表示サイズを総括的に変更することを特徴とする請求項１から４の何れか１項に記載の携帯通信端末。
【請求項６】
情報を第１の画面に表示する表示手段に表示される文字サイズを決定する表示モードの選択入力を受けるステップと、
前記表示モードの切替えを行うステップと、
前記選択入力を受けるステップにより受けた選択入力に基づいて、前記第１の画面に重畳され、情報を表示する第２の画面の文字の表示サイズを同じ横幅で切り替えるステップと、を有することを特徴とする携帯通信端末の表示方法。
【請求項７】
情報を第１の画面に表示する表示手段に表示される文字サイズを決定する表示モードの選択入力を受ける処理と、
前記表示モードの切替えを行う処理と、
前記選択入力を受ける処理により受けた選択入力に基づいて、前記第１の画面に重畳され、情報を表示する第２の画面の文字の表示サイズを同じ横幅で切り替える処理と、をコンピュータに実行させるプログラム。
【発明の詳細な説明】
【技術分野】
【０００１】
本発明は、携帯通信端末、その表示方法及びプログラムに関する。具体的には、モード切替えに連動して画面に表示されるピクトやソフトキー等を含む全ての画面表示サイズを変更する携帯通信端末、その表示方法及びプログラムに関する。
【背景技術】
【０００２】
携帯通信端末は、液晶ディスプレイ等から構成される表示部を備えるのが一般的であるが、携帯通信端末は、端末筐体の小型化や軽量化が要求されているため、表示部の画面の大きさには一定の制約がある。すなわち、携帯通信端末の画面に表示できる情報量は限られている。そのため、ユーザが画面に表示された情報を容易に確認することが可能な技術が求められている。
【０００３】
例えば、表示部に表示可能なサイズを超える情報の場合には、まずマウスやタッチペンを使用して基準点となる座標を指定する。そして、その指定された基準点を中心として拡大及び縮小を行うことにより、表示部に表示されていない領域を、ビジュアル的に移動して表示させる技術が開示されている（例えば特許文献１）。
【０００４】
また、従来から、携帯通信端末の状態の確認を容易にするために、通常は表示画面に表示される、小型の図柄であるピクトが使用されている。しかし、ピクトが多様化し、ユーザが全てのピクトの意味を認識できず、認識できたとしてもどのような操作を行なったら良いのかを理解できないという問題が生じた。この問題を解決するために、携帯通信端末の状態を示すピクトを選択可能とすることで、選択されたピクトの処理を実行させる技術が開示されている（例えば特許文献２）。さらに、モードを切替えることにより、ピクト表示領域の表示状態に応じて、予め携帯通信端末に登録されたピクトの形態から何れか１つを選択して表示画面に表示させる技術も開示されている（例えば特許文献３）。
【０００５】
また、高齢者等からは画面に表示された文字を大きくしたいという要望があった。そのため、大きい文字を表示するモードのみを搭載した携帯通信端末が開発された。しかし、それとは逆に、ユーザが画面に表示された情報を容易に確認するため、文字を小さくしてより多くの情報を確認したいという要望もあった。その問題を解決するために、ユーザからの入力に従い、画面に表示された文字の比率を保持した状態で、画面に表示される文字を段階的に縮小及び拡大する技術が開示されている（例えば特許文献４）。
【特許文献１】特開２００５−１００１９９号公報
【特許文献２】特開２００６−２７７４６７号公報
【特許文献３】特開２００７−２６７２２１号公報
【特許文献４】特開２００６−０７２８８２号公報
【発明の開示】
【発明が解決しようとする課題】
【０００６】
しかしながら、上記特許文献１記載の技術では、ユーザが縮小及び拡大を所望する場合に、その都度、縮小及び拡大する処理を行う必要があり、ユーザにとっては操作が煩雑でるという問題があった。また、上記特許文献２記載の技術では、ピクトを選択することで処理を容易に行うことができるが、ピクト自体が小さいためにどのようなピクトが表示されているのかを、高齢者等のユーザが認識することが難しいという問題があった。
【０００７】
また、上記特許文献３記載の技術では、予め登録されたピクトから、ピクトの形態を選択する必要があり、さらには、携帯通信端末の状態に応じてピクトの形態が変化するため、常にユーザが所望する大きさでピクトを表示することができないという問題があった。また、上記特許文献４記載の技術では、携帯通信端末において、縮小及び拡大表示処理を行っても、文字のみが縮小及び拡大されるだけであり、ピクトやソフトキー等の大きさは変化しないという問題があった。また、画面に表示される文字の縮小及び拡大には、文字の大きさを多くの種類から選択する必要があり、高齢者などにとっては、操作が困難であるという問題もあった。
【０００８】
本発明はこのような実情を鑑みてなされたものであり、表示モードの切替えに連動して、画面に表示されるピクトやソフトキー等の全ての表示サイズを総括的に変更することが可能な携帯通信端末、その表示方法及びプログラムを提供することを目的とする。
【課題を解決するための手段】
【０００９】
本発明の携帯通信端末は、情報を表示する表示手段と、表示手段に表示される文字サイズを決定する表示モードの切替えを行う表示モード切替え手段と、表示モードの選択入力を受ける表示モード選択入力手段と、表示モード選択入力手段により受けた表示モードの選択入力に基づいて、表示手段に表示される文字、ピクト及びシフトキーを含む全ての表示サイズを総括的に変更する表示サイズ変更手段と、を有することを特徴とする。
【００１０】
本発明の携帯通信端末は、表示モードは、縮小表示モードと、拡大表示モードと、の２つのみであり、表示モード選択入力手段は、数字キーの長押しにより表示モードの選択入力を受けることを特徴とする。
【００１１】
本発明の携帯通信端末の表示方法は、情報を表示する表示手段に表示される文字サイズを決定する表示モードの選択入力を受けるステップと、表示モードの切替えを行うステップと、選択入力を受けるステップにより受けた選択入力に基づいて、表示手段に表示される文字、ピクト及びシフトキーを含む全ての表示サイズを総括的に変更するステップと、を有することを特徴とする。
【００１２】
本発明のプログラムは、情報を表示する表示手段に表示される文字サイズを決定する表示モードの選択入力を受ける処理と、表示モードの切替えを行う処理と、選択入力を受ける処理により受けた選択入力に基づいて、表示手段に表示される文字、ピクト及びシフトキーを含む全ての表示サイズを総括的に変更する処理と、をコンピュータに実行させる。
【発明の効果】
【００１３】
本発明によれば、携帯通信端末において、表示モードの切替えに連動して、画面に表示されるピクトやソフトキー等の全ての表示サイズを容易に変更することが可能となる。
【発明を実施するための最良の形態】
【００１４】
以下に本発明の実施形態の例について、図面を用いて詳細に説明する。
【００１５】
図１は、本実施形態に係る携帯通信端末の概略構成の例を示す。図示するように、本実施形態に係る携帯通信端末は、制御部２０、ＲＯＭ（Read-Only Memory）２１、ＲＡＭ（Random Access Memory）２２、ＬＣＤ（Liquid Crystal Display）ドライバ１ ２３、正面液晶２４、ＬＣＤドライバ２ ２５、背面液晶２６、ボタン入力部２８、送受信部３０を備える。
【００１６】
制御部２０は、ＲＯＭ２１、ＲＡＭ２２、ＬＣＤドライバ１ ２３、正面液晶２４、ＬＣＤドライバ２ ２５、背面液晶２６、ボタン入力部２８、送受信部３０等と接続され、各機能を制御する。ＲＯＭ２１は、制御プログラムや設定情報などを記録したメモリである。本実施形態では、縮小表示モード及び拡大表示モードを表示する場合に使用される設定値等の表示内容を格納している。ＲＡＭ２２は、データを保存することや、作業領域として使用されるメモリである。
【００１７】
ＬＣＤドライバ１ ２３は、正面液晶２４を動作させるためのソフトウェアである。また、ＬＣＤドライバ２ ２５は、背面液晶２６を動作させるためのソフトウェアである。正面液晶２４とは、例えば折りたたみ型携帯通信端末において、折りたたんだ際に内側に位置する液晶である。一方、背面液晶２６は、例えば折りたたみ型携帯通信端末において、折りたたんだ際に外側に位置する液晶である。すなわち、背面液晶２６は、折りたたみ型携帯通信端末を折りたたんだ状態であっても、ユーザに情報を表示することが可能である。
【００１８】
ボタン入力部２８は、数字キー等を含むボタンであって、それらのボタンの操作により入力された情報を受け付ける入力回路である。また、折りたたみ型携帯通信端末においては、折りたたんだ状態で、筐体の外側に配置されるボタンも含む。送受信部３０は、例えば、制御部２０等から入力されたデータを送信信号に変換して、図示しない最寄りの基地局へ無線送信することや、最寄りの基地局から無線送信された相手端末等からの信号を受信して復調し、制御部２０に供給すること等を行う。
【００１９】
尚、本実施形態では携帯通信端末の表示部を液晶としたが、情報を表示することができればよく、特にこれに限定されるものではない。また、折りたたみ型携帯通信端末でない場合など、ＬＣＤドライバ２ ２５及び背面液晶２６は必ずしも備える必要がないことは言うまでもない。
【００２０】
本実施形態に係る携帯通信端末は、縮小表示モードと拡大表示モードとを搭載している。縮小表示モードが設定されている場合に、正面液晶２４に表示される画面の例を図３に示す。一方、拡大表示モードが設定されている場合に、正面液晶２４に表示される画面の例を図４に示す。図３に示すように、縮小表示モードが設定されている場合は、電池や電界バー等のピクト表示、画面に表示されている文字、機能名や一覧表示等が全てやや小さく表示されている。一方、拡大表示モードが設定されている場合には、図４に示すように、図３と比較すると電池や電界バー等のピクト表示や、ソフトキーが一回り大きく表示されている。さらに、機能名や一覧表示等の文字は大きく読みやすくなっている。しかし、１文字の横幅は同じなため、１行に表示可能な情報量は図３と同様である。
【００２１】
上述した表示モードの切替えの構成例といて、縮小表示モードから拡大表示モードへの切替えの構成例について説明する。まず、ボタン入力部２８において、メニュー画面を縮小表示モードから拡大表示モードに切替える入力を行うと、その信号は制御部２０を介してＲＯＭ２１に送信される。次に、ＲＯＭ２１より拡大表示モードを表示する場合に使用される設定値を取得し、その取得した設定値等の情報を制御部２０へ送信する。そして、表示モードの切替えを行い、ＬＣＤドライバ１ ２３を介して、正面液晶２４に上記設定値等の情報に基づいた拡大表示モードの画面を表示する。拡大表示モードへ切替えられた正面液晶２４の画面表示は、縮小表示モードにおける画面に比べて、表示されるピクト、ソフトキー、その他文字サイズ等が全て大きく、見やすい画面表示となる。
【００２２】
上述したような各表示モードの切替えの操作をより容易にするために、予めメニュー番号や数字キー長押し等に表示モードの切替えを行うような設定をしておいてもよい。また、表示モード切替えのためのボタンを設けることも可能である。
【００２３】
また、図３及び図４では、液晶に日本語が表示された画面を例として示したが、英語などの他の言語での表示機能を搭載した携帯通信端末では、英語など他の言語を表示した場合においても、縮小表示モード及び拡大表示モードを設定することが可能である。すなわち、日本語以外が液晶に表示された場合であっても、表示モードの切替えに連動して、画面に表示される文字、ピクト及びソフトキー等を含む全ての表示サイズを総括的に変更することが可能である。
【００２４】
図２は、本実施形態に係る携帯通信端末における縮小表示モード及び拡大表示モードの切替えを行う処理の流れの例を示す。図２に示すフローチャートを用いて、携帯通信端末における縮小表示モード及び拡大表示モードの切替えを行う動作の例について説明する。
【００２５】
まず、待受状態（ステップＳ２０１）から、正面液晶２４に表示されている文字サイズを確認し、拡大表示モード又は縮小表示モードのどちらが設定されているかを判断する。すなわち、正面液晶２４に表示されている文字サイズが大か小かを判断する（ステップＳ２０２）。
【００２６】
拡大表示モードが設定され、正面液晶２４に表示されている文字サイズが大の場合（ステップＳ２０２／大）は、縮小表示モードに切替えて、正面液晶２４に表示する文字を小に変更するか否かの入力をユーザから受ける（ステップＳ２０３）。文字サイズを小に変更する入力を受けた場合（ステップＳ２０３／ＹＥＳ）は、ＲＯＭ２１から縮小表示モードの設定値を取得し、文字サイズを小にして正面液晶２４に表示した（ステップＳ２０４）後に、処理を終了する。文字サイズを小に変更する入力を受けなかった場合（ステップＳ２０３／ＮＯ）は、表示モードの変更は行わずに、処理を終了する。尚、上記ステップＳ２０４で正面液晶２４に表示される画面は、拡大表示モード設定時に表示される画面に比べ、ピクト、ソフトキー、機能名等の表示を含む全ての画面表示を縮小したもので、一画面内に表示可能な情報量が多い画面である。
【００２７】
一方、縮小表示モードが設定され、正面液晶２４に表示されている文字サイズが小の場合（ステップＳ２０２／小）は、拡大表示モードに切替えて、正面液晶２４に表示する文字を大に変更するか否かの入力をユーザから受ける（ステップＳ２０５）。文字サイズを大に変更する入力を受けた場合（ステップＳ２０５／ＹＥＳ）は、ＲＯＭ２１から拡大表示モードの設定値を取得し、文字サイズを大にして正面液晶２４に表示した（ステップＳ２０６）後に、処理を終了する。文字サイズを大に変更する入力を受けなかった場合（ステップＳ２０５／ＮＯ）は、表示モードの変更は行わずに、処理を終了する。尚、上記ステップＳ２０６で正面液晶２４に表示される画面は、縮小表示モード設定時に表示される画面に比べ、ピクト、ソフトキー、機能名等の表示を含む全ての画面表示を拡大したもので、一画面に表示可能な情報量は少ないが、より情報を読み取りやすい画面である。
【００２８】
尚、上述した実施形態では、正面液晶２４に表示される文字、ピクト、ソフトキーを含む全ての画面表示を、表示モードを切替えることにより、総括的に変更する例について示した。しかし、背面液晶２６においても同様に全ての画面表示を総括的に変更することが可能である。さらに、正面液晶２４と背面液晶２６を連動させて同時に全ての画面表示の表示サイズを変更することも可能である。
【００２９】
本実施形態により、表示モードの切替えに連動して、画面に表示される文字、ピクト、ソフトキー等の全ての表示サイズを総括的に変更することが可能となる。また、表示モードの切替えを、メニュー番号押下や待受画面での数字キー長押し等で切替えられるようにした。そのため、ユーザは容易に画面全体の表示サイズを変更することが可能となる。すなわち、例えばメニュー操作は大きな文字で画面操作をしたい場合は拡大表示モードを設定して使用し、ブラウザ画面等でたくさんの情報を一画面内に表示したい場合には縮小表示モードを設定するなどの動作が非常に容易に行うことが可能となる。
【００３０】
また、本実施形態では、縮小表示モードと拡大表示モードの２種のモードしか搭載していない。そのため、高齢者などの携帯通信端末の操作に慣れていないユーザであっても、容易に表示モードを切替える操作を行うことが可能となる。尚、表示モードを２種とは限定せず、モードの種類を増やすことも勿論可能である。
【００３１】
また、本実施形態により、１つの携帯電話で、情報量の多い一覧性を重視した画面と、文字サイズを大きくして見易さを重視した画面を持つことが可能となる。従来は、文字が大きいと「シニア向け」、情報量が多いと「若者向け」等に販売層がわかれていたが、切替え機能を有することにより、情報量の多い表示を好むユーザにも、最低限の表示があればよいユーザにも門戸を開いた新しい表示の携帯通信端末を提供することが可能となる。
【００３２】
尚、図２のフローチャートに示す処理を、制御部が実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこの制御部で上記プログラムを実行させることにより、本発明と実質的に同じ効果を得ることができる。
【００３３】
以上好適な実施の形態に基づき具体的に説明したが、本発明は上述した携帯通信端末、その表示方法及びプログラムに限定されるものではなく、その要旨を逸脱しない範囲で種々変更可能であるということは言うまでもない。
【図面の簡単な説明】
【００３４】
【図１】本実施形態に係る携帯通信端末の概略構成の例を示すブロック図である。
【図２】本実施形態に係る携帯通信端末において、縮小表示モード及び拡大表示モードの切替えを行う処理の流れの例を示すフローチャートである。
【図３】本実施形態に係る携帯通信端末の正面液晶において、縮小表示モードを選択した場合に表示される画面の例を示す図である。
【図４】本実施形態に係る携帯通信端末の正面液晶において、拡大表示モードを選択した場合に表示される画面の例を示す図である。
【符号の説明】
【００３５】
２０    制御部
２１    ＲＯＭ
２２    ＲＡＭ
２３    ＬＣＤドライバ１
２４    正面液晶
２５    ＬＣＤドライバ２
２６    背面液晶
２８    ボタン入力部
３０    送受信部
【図１】
0005262279.tif 000002
【図２】
0005262279.tif 000003
【図３】
0005262279.tif 000004
【図４】
0005262279.tif 000005